(57)【要約】  本発明は、自由鎖交磁束を有する回転三相変圧器（１０）であって、軸Ａを中心として互いに対して回転可動である第１の部分（１１）と第２の部分（１２）とを備える回転三相変圧器（１０）に関する。第１の本体は、軸Ａの第１の環状スロット（１９）、軸Ａの第２の環状スロット（２０）、軸Ａの第３の環状スロット（２１）、および軸Ａの第４の環状スロット（２２）を画定する。第１の部分（１１）のコイルは、第１のスロット（１９）内の軸Ａの第１のトロイダルコイル（３４）と、第２のスロット（２０）内の軸Ａの第２のトロイダルコイル（３５）と、第２のスロット（２０）内の軸Ａの第３のトロイダルコイル（３６）と、第３のスロット（２１）内の軸Ａの第４のトロイダルコイル（３７）と、第３のスロット（２１）内の軸Ａの第５のトロイダルコイル（３８）と、第４のスロット（２２）内の軸Ａの第６のトロイダルコイル（３９）とを備える。
2015516116.tif 000002
【特許請求の範囲】
【請求項１】
軸Ａを中心として互いに対して回転可動な第１の部分（１１）と第２の部分（１２）とを備え、第１の部分（１１）は第１の強磁性材料製本体とコイル（３４、３５、３６、３７、３８、３９）とを備え、第２の部分（１２）は第２の強磁性材料製本体とコイル（４０、４１、４２、４３、４４、４５）とを備える回転三相変圧器（１０）であって、
第１の本体は、軸Ａの第１の環状スロット（１９）、軸Ａの第２の環状スロット（２０）、軸Ａの第３の環状スロット（２１）、および軸Ａの第４の環状スロット（２２）を画定し、
第１の部分（１１）のコイルは、第１のスロット（１９）内の軸Ａの第１のトロイダルコイル（３４）と、第２のスロット（２０）内の軸Ａの第２のトロイダルコイル（３５）と、第２のスロット（２０）内の軸Ａの第３のトロイダルコイル（３６）と、第３のスロット（２１）内の軸Ａの第４のトロイダルコイル（３７）と、第３のスロット（２１）内の軸Ａの第５のトロイダルコイル（３８）と、第４のスロット（２２）内の軸Ａの第６のトロイダルコイル（３９）とを備え、
第１のコイル（３４）と第２のコイル（３５）とは、直列に接続され、第１のコイル（３４）および第２のコイル（３５）内を流れる電流（Ｉａｐ）に対して、反対方向の２つの磁位（Ｐａ、−Ｐａ）に対応するそれぞれの巻き方向を有し、
第３のコイル（３６）と第４のコイル（３７）とは、直列に接続され、第３のコイル（３６）および第４のコイル（３７）内を流れる電流（Ｉｂｐ）に対して、反対方向の２つの磁位（Ｐｂ、−Ｐｂ）に対応するそれぞれの巻き方向を有し、
第５のコイル（３８）と第６のコイル（３９）とは、直列に接続され、第３のコイル（３８）および第６のコイル（３９）内を流れる電流（Ｉｃｐ）に対して、反対方向の２つの磁位（Ｐｃ、−Ｐｃ）に対応するそれぞれの巻き方向を有する、回転三相変圧器（１０）。
【請求項２】
第１のコイル（３４）、第２のコイル（３５）、第３のコイル（３６）、第４のコイル（３７）、第５のコイル（３８）、および第６のコイル（３９）が全て、同じ巻数（ｎ１）を有する、請求項１に記載の変圧器（１０）。
【請求項３】
第２の本体が、軸Ａの第５の環状スロット（２９）、軸Ａの第６の環状スロット（３０）、軸Ａの第７の環状スロット（３１）、および軸Ａの第８の環状スロット（３２）を画定し、
第２の部分（１２）のコイルは、第５のスロット（２９）内の軸Ａの第７のトロイダルコイル（４０）と、第６のスロット（３０）内の軸Ａの第８のトロイダルコイル（４１）と、第６のスロット（３０）内の軸Ａの第９のトロイダルコイル（４２）と、第７のスロット（３１）内の軸Ａの第１０のトロイダルコイル（４３）と、第７のスロット（３１）内の軸Ａの第１１のトロイダルコイル（４４）と、第８のスロット（３２）内の軸Ａの第１２のトロイダルコイル（４５）とを備え、
第７のコイル（４０）と第８のコイル（４１）とは、直列に接続され、第７のコイル（４０）および第８のコイル（４１）内を流れる電流に対して、反対方向の２つの磁位に対応するそれぞれの巻き方向を有し、
第９のコイル（４２）と第１０のコイル（４３）とは、直列に接続され、第９のコイル（４２）および第１０のコイル（４３）内を流れる電流に対して、反対方向の２つの磁位に対応するそれぞれの巻き方向を有し、
第１１のコイル（４４）と第１２のコイル（４５）とは、直列に接続され、第１１のコイル（４４）および第１２のコイル（４５）内を流れる電流に対して、反対方向の２つの磁位に対応するそれぞれの巻き方向を有する、請求項１または請求項２に記載の変圧器（１０）。
【請求項４】
第７のコイル（４０）、第８のコイル（４１）、第９のコイル（４２）、第１０のコイル（４３）、第１１のコイル（４４）、および第１２のコイル（４５）が全て、同じ巻数を有する、請求項３に記載の変圧器（１０）。
【請求項５】
第１の本体が、第１の本体の前記スロット（１９、２０、２１、２２）を画定するリング（１３）、第１の脚部（１４）、第２の脚部（１５）、第３の脚部（１６）、第４の脚部（１７）、および第５の脚部（１８）を備える、請求項１から請求項４のうちのいずれか一項に記載の変圧器。
【請求項６】
第２の部分（１２）が、軸Ａの周りの二相部分（１１）を囲繞する、もしくはその逆である、請求項１から請求項５のうちのいずれか一項に記載の変圧器（１０）。
【請求項７】
第１の部分と第２の部分が、軸Ａの方向に並んで位置される、請求項１から請求項５のうちのいずれか一項に記載の変圧器。
【請求項８】
強磁性材料製の第１の本体および第２の本体が、前記コイルを完全に囲繞する、請求項１から請求項７のうちのいずれか一項に記載の変圧器（１０）。
【発明の詳細な説明】
【技術分野】
【０００１】
本発明は、変圧器の一般的な分野に関する。特に、本発明は、回転三相変圧器に関する。
【背景技術】
【０００２】
回転三相変圧器は、互いに対して回転する２つの軸間で接触せずに、エネルギーおよび／または信号を伝達する働きをする。
【０００３】
図１および図２はそれぞれ、先行技術の回転三相変圧器１を示した図である。
【０００４】
変圧器１は、位相Ｕ、Ｖ、Ｗに対応する３つの回転単相変圧器２を有する。それぞれの回転単相変圧器２は、軸Ａを中心として互いに対して回転する部分３と部分４とを有する。例として、部分３は固定子であり、部分４は回転子であるか、またはその逆である。変形形態では、部分３および部分４は共に、基準の固定フレーム（図示せず）に対して回転可動である。トロイダルコイル５は、部分３の強磁性材料製本体によって画定されたスロット６内に収容される。トロイダルコイル７は、部分４の強磁性材料製本体によって画定されたスロット８内に収容される。それぞれの回転単相変圧器２に対して、コイル５は一次コイルを形成し、コイル７は二次コイルを形成する（もしくはその逆である）。
【０００５】
図１は、部分３が軸Ａを中心として部分４を囲繞した「Ｕ字形」と呼ばれる変形形態を示しており、図２は、部分３と部分４が軸方向に並んで配置された「Ｅ字形」もしくは「ポット型」と呼ばれる変形形態を示している。
【０００６】
図１または図２の三相変圧器１は、磁束を結合させることができる強制磁束を有する固定三相変圧器とは違って、位相それぞれの磁束を最大限に利用することができないので、重量は重く、体積は大きい。さらに、図２の例では、平衡抵抗を維持するために、回転軸間の距離および位相に応じて異なる断面の導体を使用する必要がある。
【０００７】
米国特許出願公開第２０１１／００５０３７７号明細書には、四柱回転三相変圧器について記載されている。この変圧器の重量はかなり重く、体積はかなり大きい。さらに、上記明細書には、五柱回転三相変圧器についても記載されている。この変圧器の重量はかなり重く、体積はかなり大きい。また、この変圧器は、磁気回路の中央柱内のスロットを通る半径方向巻線を使用するが、この巻線は、図１および図２の変圧器で使用されているトロイダル巻線に比べてより複雑に機能する。
【先行技術文献】
【特許文献】
【０００８】
【特許文献１】米国特許出願公開第２０１１／００５０３７７号明細書
【発明の概要】
【発明が解決しようとする課題】
【０００９】
三相変圧器のトポロジを改良する必要が生じる。
【課題を解決するための手段】
【００１０】
本発明は、軸Ａを中心として互いに対して回転可動な第１の部分と第２の部分とを備え、第１の部分は第１の強磁性材料製本体とコイルとを備え、第２の部分は第２の強磁性材料製本体とコイルとを備える回転三相変圧器であって、
第１の本体は、軸Ａの第１の環状スロット、軸Ａの第２の環状スロット、軸Ａの第３の環状スロット、および軸Ａの第４の環状スロットを画定し、
第１の部分のコイルは、第１のスロット内の軸Ａの第１のトロイダルコイルと、第２のスロット内の軸Ａの第２のトロイダルコイルと、第２のスロット内の軸Ａの第３のトロイダルコイルと、第３のスロット内の軸Ａの第４のトロイダルコイルと、第３のスロット内の軸Ａの第５のトロイダルコイルと、第４のスロット内の軸Ａの第６のトロイダルコイルとを備え、
第１のコイルと第２のコイルとは、直列に接続され、第１のコイルおよび第２のコイル内を流れる電流に対して、反対方向の２つの磁位に対応するそれぞれの巻き方向を有し、
第３のコイルと第４のコイルとは、直列に接続され、第３のコイルおよび第４のコイル内を流れる電流に対して、反対方向の２つの磁位に対応するそれぞれの巻き方向を有し、
第５のコイルと第６のコイルとは、直列に接続され、第３のコイルおよび第６のコイル内を流れる電流に対して、反対方向の２つの磁位に対応するそれぞれの巻き方向を有する、回転三相変圧器を提案する。
【００１１】
例として、第１の部分が一次側としてもよい。この状況では、三相電流が一次コイル内で適切な方向に流された場合、一次コイルの磁位により、上述の巻き方向で磁束の結合が生じる。この結合により、体積および重量に関して、変圧器の寸法を低減することができる。さらに、変圧器の一次側が軸Ａの単純なトロイダルコイルのみを使用することにより、変圧器の構造を特に単純な構造にすることができる。すなわち、本発明は、磁束の結合により、特に、３つの単相回転変圧器を使用する場合に比べて、重量および体積が低減された回転三相変圧器であり、特に単純な巻き形態を使用した回転三相変圧器を提供する。
【００１２】
一実施形態では、第１のコイル、第２のコイル、第３のコイル、第４のコイル、第５のコイル、および第６のコイルは全て同じ巻数を有する。
【００１３】
この場合、第１の部分の位相は抵抗において平衡である。
【００１４】
一実施形態では、第２の本体は、軸Ａの第５の環状スロット、軸Ａの第６の環状スロット、軸Ａの第７の環状スロット、および軸Ａの第８の環状スロットを画定し、
第２の部分のコイルは、第５のスロット内の軸Ａの第７のトロイダルコイルと、第６のスロット内の軸Ａの第８のトロイダルコイルと、第６のスロット内の軸Ａの第９のトロイダルコイルと、第７のスロット内の軸Ａの第１０のトロイダルコイルと、第７のスロット内の軸Ａの第１１のトロイダルコイルと、第８のスロット内の軸Ａの第１２のトロイダルコイルとを備え、
第７のコイルと第８のコイルとは、直列に接続され、第７のコイルおよび第８のコイル内を流れる電流に対して、反対方向の２つの磁位に対応するそれぞれの巻き方向を有し、
第９のコイルと第１０のコイルとは、直列に接続され、第９のコイルおよび第１０のコイル内を流れる電流に対して、反対方向の２つの磁位に対応するそれぞれの巻き方向を有し、
第１１のコイルと第１２のコイルとは、直列に接続され、第１１のコイルおよび第１２のコイル内を流れる電流に対して、反対方向の２つの磁位に対応するそれぞれの巻き方向を有する。
【００１５】
この実施形態では、二次側は一次側と同じ原理に基づいて形成される。したがって、二次側も変圧器の重量および体積の限定に寄与し、軸Ａのトロイダルコイルのみを使用して変圧器を形成することができる。
【００１６】
第７のコイル、第８のコイル、第９のコイル、第１０のコイル、第１１のコイル、および第１２のコイルは全て同じ巻数を有するようにしてもよい。
【００１７】
この場合、第２の部分の位相は抵抗において平衡である。
【００１８】
一実施形態では、第１の本体は、第１の本体の前記スロットを画定するリング、第１の脚部、第２の脚部、第３の脚部、第４の脚部、および第５の脚部を備える。
【００１９】
第２の部分は、軸Ａの周りの二相部分を囲繞してもよい、もしくはその逆である。これは、「Ｕ字形」と呼ばれる変圧器の形成に相当する。
【００２０】
第１の部分と第２の部分は、軸Ａの方向に並んで配置されてもよい。これは、「Ｅ字形」もしくは「ポット型」と呼ばれる変圧器の形成に相当する。
【００２１】
一実施形態では、強磁性材料製の第１の本体および第２の本体は、一次コイルおよび二次コイルを完全に囲繞する。
【００２２】
この状況では、変圧器は磁気遮蔽される。
【００２３】
本発明の他の特性および利点は、非制限的な特徴を有する実施形態を示した添付図面を参照しながら説明される以下の記述から明らかである。
【図面の簡単な説明】
【００２４】
【図１】先行技術の回転三相変圧器の断面図である。
【図２】先行技術の回転三相変圧器の断面図である。
【図３】本発明の第１の実施形態の自由鎖交磁束を有する磁気遮蔽型三相回転変圧器の断面図である。
【図４】図３の変圧器の磁気回路の分解斜視図である。
【図５】図３の変圧器のコイルの接続を示した電気回路図である。
【図６】本発明の第２の実施形態の変圧器の磁気回路の分解斜視図である。
【発明を実施するための形態】
【００２５】
図３は、本発明の一実施形態の回転変圧器１０の断面図である。変圧器１０は、自由鎖交磁束を有する磁気遮蔽型三相回転変圧器である。
【００２６】
変圧器１０は、軸Ａを中心として互いに対して回転するのに適した部分１１および部分１２を備える。例として、部分１１は固定子であり、部分１２は回転子であるか、またはその逆である。変形形態では、部分１１および部分１２は共に、基準の固定フレーム（図示せず）に対して回転可動である。
【００２７】
部分１１は、軸Ａのリング１３と、強磁性材料製の５本の脚部１４、１５、１６、１７、１８とを備える。脚部１４、１５、１６、１７、１８それぞれは、リング１３から始まって、軸Ａから離れて半径方向に伸びる。脚部１４はリング１３の一端に位置し、脚部１８はリング１３の他端に位置し、脚部１５、１６、１７は脚部１４と脚部１８との間に位置する。
【００２８】
リング１３および脚部１４、１５は、半径方向外側方向に（すなわち、軸Ａから離れて）開口した軸Ａの環状スロット１９を画定する。リング１３および脚部１５、１６は、半径方向外側方向に開口した軸Ａの環状スロット２０を画定する。リング１３および脚部１６、１７は、半径方向外側方向に開口した軸Ａの環状スロット２１を画定する。リング１３および脚部１７、１８は、半径方向外側方向に開口した軸Ａの環状スロット２２を画定する。一般的な形では、リング１３および脚部１４〜１８は、半径方向外側方向に開口した４つの環状スロット１９〜２２を画定する強磁性材料製本体を形成する。
【００２９】
部分１２は、軸Ａのリング２３と、強磁性材料製の５本の脚部２４、２５、２６、２７、２８とを備える。脚部２４、２５、２６、２７、２８それぞれは、リング２３から始まって軸Ａに向かって半径方向に伸びる。脚部２４はリング２３の一端に位置し、脚部２８はリング２３の他端に位置し、脚部２５、２６、および２７は脚部２４と脚部２８との間に位置する。
【００３０】
リング２３および脚部２４、２５は、半径方向内側方向に（すなわち、軸に向かって）開口した軸Ａの環状スロット２９を画定する。リング２３および脚部２５、２６は、半径方向内側方向に開口した環状スロット３０を画定する。リング２３および脚部２６、２７は、半径方向内側方向に開口した環状スロット３１を画定する。リング２３および脚部２７、２８は、半径方向内側方向に開口した環状スロット３２を画定する。一般的な形では、リング２３および脚部２４〜２８は、半径方向内側方向に開口した４つの環状スロット２９〜３２を画定する強磁性材料製本体を形成する。
【００３１】
部分１１の脚部１４〜１８それぞれは、第２の部分１２の脚部２４〜２８の１つと対向し、それらの間に空隙３３が画定される。したがって、変圧器１０は、５組の脚部（脚部１４＆２４、脚部１５＆２５、脚部１６＆２６、脚部１７＆２７、および脚部１８＆２８）を有し、それぞれの脚部の組が変圧器１０の柱状部を形成する。すなわち、変圧器１０は五柱変圧器である。リング１３およびリング２３は脚部１４〜１８および脚部２４〜２８と共に、変圧器１０の磁気回路を形成する。図４は、変圧器１０の磁気回路の分解斜視図である。
【００３２】
変圧器１０の部分１１はコイル３４〜３９を有し、部分１２はコイル４０〜４５を有する。
【００３３】
コイル３４は、軸Ａのトロイダルコイルであり、スロット１９内に配置される。コイル３５は、軸Ａのトロイダルコイルであり、スロット２０内に配置され、コイル３４と直列に接続される。コイル３６は、軸Ａのトロイダルコイルであり、スロット２０内に配置される。コイル３７は、軸Ａのトロイダルコイルであり、スロット２１内に配置され、コイル３６と直列に接続される。コイル３８は、軸Ａのトロイダルコイルであり、スロット２１内に配置される。最後に、コイル３９は、軸Ａのトロイダルコイルであり、スロット２２内に配置され、コイル３８と直列に接続される。コイル３４〜３９それぞれの巻数は、ｎ１である。
【００３４】
用語「軸Ａのトロイダルコイル」は、軸Ａの周りに巻回されたコイルを指すのに使用される。用語「トロイダル」は、軸を中心として円を回転することで生成される実体を示す限定的な意味で使用されない。それどころか、図示されている例では、トロイダルコイルの断面は、特に、長方形とすることができる。
【００３５】
同様に、コイル４０は、軸Ａのトロイダルコイルであり、スロット２９内に配置される。コイル４１は、軸Ａのトロイダルコイルであり、スロット３０内に配置され、コイル４０と直列に接続される。コイル４２は、軸Ａのトロイダルコイルであり、スロット３０内に配置される。コイル４３は、軸Ａのトロイダルコイルであり、スロット３１内に配置され、コイル４２と直列に接続される。コイル４４は、軸Ａのトロイダルコイルであり、スロット３１内に配置される。最後に、コイル４５は、軸Ａのトロイダルコイルであり、スロット３２内に配置され、コイル４４と直列に接続される。コイル４０〜４５それぞれの巻数は、ｎ２である。
【００３６】
コイル３４およびコイル４０は、リング１３内に位置する磁心４６を囲繞する。用語「磁心」は、コイルによって形成された同じ向きの磁束が大半を占める磁気回路の一部を指すのに使用される。したがって、コイル１９、全てのコイル１４内を流れる電流は磁心４６の磁位に対応する。同様に、コイル３５、３６、４１、４２はリング１３内に位置する磁心４７を囲繞し、コイル３７、３８、４３、４４はリング１３内に位置する磁心４８を囲繞し、コイル３９、および４５は、リング１３内に位置する磁心４９を囲繞する。
【００３７】
以下の説明では、部分１１およびコイル３４〜３９は変圧器１０の一次側に対応し、部分１２およびコイル４０〜４５は変圧器１０の二次側に対応するものとする。しかし、当然、一次側および二次側は逆の場合もある。
【００３８】
図５は、変圧器１０のコイル３４〜３９の接続および対応する磁位を示した電気回路図である。
【００３９】
図５では、次の表記法が使用されている。
【００４０】
Ａｐ、Ｂｐ、およびＣｐは変圧器１０の一次コイルの入力点である。
【００４１】
Ｉａｐ、Ｉｂｐ、およびＩｃｐはそれぞれ、点Ａｐ、Ｂｐ、およびＣｐにおける流入電流である。電流Ｉａｐは、主要相Ａを形成するコイル３４およびコイル３５内を流れる。同様に、電流Ｉｂｐは、主要相Ｂを形成するコイル３６およびコイル３７内を流れ、電流Ｉｃｐは、主要相Ｃを形成するコイル３８およびコイル３９内を流れる。二次側でも同じ対応関係が使用される場合には、位相Ａ、Ｂ、Ｃと直列のコイルの組との任意の他の対応関係も可能である。
【００４２】
Ｏａｐ、Ｏｂｐ、およびＯｃｐは、任意の種類の固定三相変圧器と同じ電気的結合（スター／スター、スター／デルタ、デルタ／デルタ、デルタ／スター、ジグザグなど）を可能にする接続点である。
【００４３】
黒いドットは、コイル内を流れる電流と対応磁位の方向との関係を示す。ドットが巻線の右側にある場合、巻き方向は、生成される磁位が流入電流と同じ向きになるような向きである。ドットが巻線の左側にある場合、巻き方向は、生成される磁位が流入電流と反対の向きになるような向きである。
【００４４】
Ｐａ＆−Ｐａは、電流Ｉａｐに対応する磁心４６および４７の磁位であり、Ｐｂ＆−Ｐｂは、電流Ｉｂｐに対応する磁心４７および４８の磁位であり、Ｐｃ＆−Ｐｃは、電流Ｉｃｐに対応する磁心４６および４７の磁位である。
【００４５】
図５から、図５に示されている巻き方向および直列接続の適切な選択によって、それぞれ平衡三相電流のＩａｐは磁心４６の磁位Ｐａに対応し、Ｉｂｐは係数が同じで向きが反対である磁心４７の磁位−ＰａおよびＰｂに対応し、Ｉｃｐは、Ｐｂ、−Ｐａ、Ｐａと対称となる磁心４８および４９の磁位−Ｐｂ、−Ｐｃ、Ｐｃに対応することがわかる。この状態で、磁束は適切に鎖交される。
【００４６】
変形形態では、コイルの他の接続方法および他の巻き方向で、磁位に対して同様の構造が得られる。
【００４７】
したがって、変圧器１０において、図示されている巻線トポロジを有する磁気回路によって行われる磁気結合により、単相変圧器に比べて、鎖交磁束および５本の柱状部を有する固定三相変圧器の場合に形成される磁束の結合係数と同じ結合係数５／４を有することができる。結合係数を最適にするためには、柱状部それぞれの磁気抵抗（主に、空隙３３による）を等しくして、リング１３およびリング２３の磁気抵抗に比べて、大きな影響を及ぼすほど大きくする必要がある。完全平衡になる三相変圧器にするためには、柱状部それぞれの磁気抵抗に比べて、リング１３およびリング２３の磁気抵抗をできるだけ小さくする必要がある。このようにするのは物理的に難しいので、１つの解決策としては、完全平衡になるように柱状部の磁気抵抗および２つの柱状部間のリングの一部の磁気抵抗を修正する方法がある。
【００４８】
二次側のコイルの巻数がｎ２である場合、任意の三相変圧器の場合のように、電圧比は、第一近似で、ｎ２／ｎ１、電流比はｎ１／ｎ２となる。回転変圧器１０は、鎖交磁束を有する任意の固定三相変圧器と同じ特性を有する、例えば、複数の二次側を有する可能性がある。
【００４９】
変圧器１０には、複数の利点がある。
【００５０】
特に、磁気回路はコイル３４〜３９およびコイル４０〜４５を完全に囲繞することがわかる。したがって、変圧器１０は、磁気遮蔽されている。さらに、コイル３４〜３９およびコイル４０〜４５は全て、軸Ａのトロイダルコイルである。したがって、変圧器１０はより複雑な形状のコイルは必要でない。
【００５１】
また、それぞれの位相は同じ長さの同じ巻数（すなわち、一次側は２＊ｎ１、二次側は２＊ｎ２）を有するので、変圧器１０の位相は、異なる断面の導体を必要とせずに、抵抗において平衡になる。
【００５２】
最後に、変圧器１０の重量および体積が低減される。具体的には、磁束結合により、変圧器１０は、一定のジュール損失に対して、図１および図２の変圧器と比べて軽い重量および小さい体積になるような寸法にできる。
【００５３】
種々の柱状部の磁気抵抗に作用することによって、変圧器１０の位相に対して磁気抵抗を平衡に近づけることが可能である。位相平衡を改善するために、利用可能な１つの自由度、すなわち、位相のアンペアターン数を設けることができる。したがって、図示されていない変形形態では、コイルの全てがｎ１もしくはｎ２の全く同じ巻数であるとは限らない。
【００５４】
図３に示されているコイルの位置は一例であって、他の位置も可能である。例えば、１つのスロット内で、２つのコイルは軸方向に並んで配置されてもよいし、軸Ａを中心として一方が他方の周囲に配置されてもよいし、一方が他方と混合配置されてもよい。
【００５５】
変圧器１０は、「Ｕ字形」の変形形態と見なすことができる。図示されていない一実施形態では、本発明の変圧器は、「Ｕ字形」変圧器１０の変形形態である「Ｅ字形」もしくは「ポット型」である。この変形形態では、図２と同様の形で、部分１１および部分１２は軸Ａの方向に並んで配置される。図６は、この「Ｅ字形」変圧器の磁気回路の分解斜視図である。図６では、対応する要素を示すのに、図４と同じ参照番号が使用されている。
【図１】
2015516116.tif 000003
【図２】
2015516116.tif 000004
【図３】
2015516116.tif 000005
【図４】
2015516116.tif 000006
【図５】
2015516116.tif 000007
【図６】
2015516116.tif 000008
【国際調査報告】
2015516116.tif 000009
2015516116.tif 000010
2015516116.tif 000011
2015516116.tif 000012